(57)【要約】【課題】  柔らかい（撓みやすい）特性を提供しながらも、筆記後に元の形状に戻りにくくなるような過度の変形を抑制して、長寿命を実現できる筆記具を提供すること。【解決手段】  前方芯部と中央芯部と後方芯部とを有するペン先と、ペン先の後方芯部に接触して当該後方芯部にインクを供給するインク吸蔵体と、インク吸蔵体を収容する本体筒と、ペン先の中央芯部を保持して本体筒に保持されるペン先保持筒と、を備える。前方芯部は中央芯部よりも細く、後方芯部も中央芯部よりも細い。前方芯部の前端は、側面視において上端が下端よりも前方に位置する切出刃状になっており、前方芯部の側面視における最大長さは、７ｍｍ以上である。ペン先保持筒は、前方芯部の前端領域を除いて当該前方芯部の周囲に延在する予備筒部を有しており、予備筒部の側面視における最大長さは、５ｍｍ以上である。予備筒部と前方芯部との間の間隔は、０．２〜１．０ｍｍである。【選択図】  図１６
2020011437.tif 000002
【特許請求の範囲】
【請求項１】
前方芯部と中央芯部と後方芯部とを有するペン先と、
前記ペン先の前記後方芯部に接触して当該後方芯部にインクを供給するインク吸蔵体と、
前記インク吸蔵体を収容する本体筒と、
前記ペン先の前記中央芯部を保持し、前記本体筒に保持されるペン先保持筒と、
を備え、
前記ペン先の前記前方芯部は、前記ペン先の前記中央芯部よりも細く、
前記ペン先の前記後方芯部も、前記ペン先の前記中央芯部よりも細く、
前記ペン先の前記前方芯部の前端は、側面視において上端が下端よりも前方に位置する切出刃状になっており、
前記ペン先の前記前方芯部の側面視における最大長さは、７ｍｍ以上であり、
前記ペン先保持筒は、前記ペン先の前記前方芯部の前端領域を除いて当該前方芯部の周囲に延在する予備筒部を有しており、
前記予備筒部の側面視における最大長さは、５ｍｍ以上であり、
前記予備筒部と前記ペン先の前記前方芯部との間の間隔は、０．０３〜１．０ｍｍである
ことを特徴とする筆記具。
【請求項２】
前記ペン先保持筒は、前記ペン先の前記中央芯部の前方部を保持しており、
前記本体筒は、前記ペン先の前記中央芯部の後方部を保持している
ことを特徴とする請求項１に記載の筆記具。
【請求項３】
前記ペン先の前記中央芯部は、円筒形状を有している
ことを特徴とする請求項１または２に記載の筆記具。
【請求項４】
前記ペン先保持筒は、前記ペン先の前記中央芯部を周方向に間隔を開けて複数個所で保持している
ことを特徴とする請求項３に記載の筆記具。
【請求項５】
前記予備筒部と前記ペン先の前記前方芯部との間の間隔は、略一定である
ことを特徴とする請求項１乃至４のいずれかに記載の筆記具。
【請求項６】
前記ペン先の前記中央芯部は、前記前端領域を除いて円柱形状を有しており、
前記予備筒部は、円筒形状を有している
ことを特徴とする請求項５に記載の筆記具。
【請求項７】
前記ペン先の前記中央芯部は、前記前端領域を除いて略四角柱形状を有しており、
前記予備筒部は、略四角筒形状を有している
ことを特徴とする請求項５に記載の筆記具。
【請求項８】
前記予備筒部の前端も、側面視において上端が下端よりも前方に位置する切出刃状になっており、
前記ペン先の前記前方芯部の前記前端と前記予備筒部の前記前端とが、側面視において平行となっている
ことを特徴とする請求項６または７に記載の筆記具。
【請求項９】
前記ペン先保持筒は、少なくとも一部が透明材料または半透明材料で構成されている
ことを特徴とする請求項１乃至８のいずれかに記載の筆記具。
【請求項１０】
前記本体筒及び／または前記ペン先保持筒には、前記ペン先の角度位置を示す目印が付されている
ことを特徴とする請求項１乃至９のいずれかに記載の筆記具。
【請求項１１】
前方芯部と中央芯部と後方芯部とを有するペン先であって、
前記中央芯部は、円筒形状を有しており、
前記前方芯部は、前記中央芯部よりも細く、
前記後方芯部も、前記中央芯部よりも細く、
前記前方芯部の前端は、側面視において上端が下端よりも前方に位置する切出刃状になっており、
前記前方芯部の側面視における最大長さは、７ｍｍ以上である
ことを特徴とするペン先。
【発明の詳細な説明】
【技術分野】
【０００１】
本発明は、筆記具に関する。詳細には、ペン先とインク吸蔵体とを備えた筆記具（マーキングペン等）に関する。
【背景技術】
【０００２】
ペン先とインク吸蔵体とを備えた筆記具として、従来より様々なタイプの構成を有する商品が開発され販売されている。
【０００３】
一般的な構成では、ペン先が十分な剛性を有しており、ユーザによって筆記時に加えられる力によってペン先に実質的な変形は生じない。このような「堅い」ペン先は、ユーザにしっかりとした筆記感を与えるため、定番の構成となっている。
【０００４】
一方で、筆のように柔らかい筆記感を所望するユーザも存在する。そのようなニーズに応えるべく、ユーザによって筆記時に加えられる力によってペン先が変形する（撓む）構成についても、様々なタイプのものが開発されている。
【０００５】
例えば、特許文献１は、筆圧に応じて中継芯とボールペンチップとが弾性変形するボールペンを開示している。中継芯が装着されるボールペンチップに、縦リブを残して矩形状の窓孔が形成されていて、ボールペンチップ（縦リブ）が変形しやすくなっている。
【０００６】
また、特許文献２は、合成繊維を合成樹脂製エラストマーで結着した可撓性を有する多孔質液体供給体からなり適宜数の環状溝を有する毛筆用ペン先を開示している。当該毛筆用ペン先によれば、環状溝を有する部分がクッションとなって、筆圧の強弱に応じて細い線から太い線まで自在に筆記可能である。
【先行技術文献】
【特許文献】
【０００７】
【特許文献１】実公昭５９−１６２２７号公報
【特許文献２】特開平３−２２１４９４号公報
【発明の概要】
【発明が解決しようとする課題】
【０００８】
ユーザによって筆記時に加えられる力によってペン先が変形する（撓む）構成において、ペン先の変形のしやすさ（撓みやすさ）は、主にペン先の材料の特性に依存する。
【０００９】
従って、柔らかい筆記感を実現しようとする場合、柔らかい（撓みやすい）特性の材料でペン先を構成する必要がある。
【００１０】
しかしながら、柔らかい（撓みやすい）特性の材料は、自身の形状保持力が弱いという傾向があり、筆記後に元の形状に戻らなくなって、ペン先としての寿命を早期に終えてしまうという問題点があった。
【００１１】
本発明は、以上のような知見に鑑みてなされたものであり、その目的とするところは、柔らかい（撓みやすい）特性を提供しながらも、筆記後に元の形状に戻りにくくなるような過度の変形を抑制して、長寿命を実現できる筆記具を提供することである。
【課題を解決するための手段】
【００１２】
本発明は、前方芯部と中央芯部と後方芯部とを有するペン先と、前記ペン先の前記後方芯部に接触して当該後方芯部にインクを供給するインク吸蔵体と、前記インク吸蔵体を収容する本体筒と、前記ペン先の前記中央芯部を保持し、前記本体筒に保持されるペン先保持筒と、を備え、前記ペン先の前記前方芯部は、前記ペン先の前記中央芯部よりも細く、前記ペン先の前記後方芯部も、前記ペン先の前記中央芯部よりも細く、前記ペン先の前記前方芯部の前端は、側面視において上端が下端よりも前方に位置する切出刃状になっており、前記ペン先の前記前方芯部の側面視における最大長さは、７ｍｍ以上であり、前記ペン先保持筒は、前記ペン先の前記前方芯部の前端領域を除いて当該前方芯部の周囲に延在する予備筒部を有しており、前記予備筒部の側面視における最大長さは、５ｍｍ以上であり、前記予備筒部と前記ペン先の前記前方芯部との間の間隔は、０．０３〜１．０ｍｍであることを特徴とする筆記具である。
【００１３】
本発明によれば、ペン先保持筒に保持されるペン先の中央芯部よりもペン先の前方芯部が細いため、ペン先の中央芯部に対するペン先の前方芯部の十分な撓みやすさを提供することができる。特に、ペン先の前方芯部の前端が側面視において切出刃状になっていて、ペン先の前方芯部の側面視における最大長さ（上端における長さ）が７ｍｍ以上となっていることにより、ペン先の前方芯部の前端に加えられる力によってペン先の前方芯部が撓む感覚を、ユーザは独特の筆記感として楽しむことができる。
【００１４】
一方で、本発明によれば、ペン先の前方芯部の前端領域を除いて、当該前方芯部の周囲にペン先保持筒の予備筒部が延在しており、ペン先の前方芯部に過度の力が加えられた時にはペン先の前方芯部が当該予備筒部に当接して当該前方芯部のそれ以上の変形を抑制する。特に、予備筒部の側面視における最大長さ（上端における長さ）が５ｍｍ以上となっていて、予備筒部とペン先の前方芯部との間の間隔が０．０３〜１．０ｍｍとなっていることにより、ペン先の前方芯部において元の形状に戻りにくくなるような過度の変形が効果的に抑制され、長寿命を実現できる。
【００１５】
本発明において、前記ペン先保持筒は、前記ペン先の前記中央芯部の前方部を保持しており、前記本体筒は、前記ペン先の前記中央芯部の後方部を保持していることが好ましい。
【００１６】
これによれば、ペン先の中央芯部が、軸方向に少なくとも２箇所で保持されることになるため、ペン先の中央芯部のより確実な保持を実現することができる。
【００１７】
また、前記ペン先の前記中央芯部は、円筒形状を有していることが好ましい。
【００１８】
これによれば、ペン先に十分な強度を持たせることができ、ペン先の中央芯部のより確実な保持を実現することができる。
【００１９】
また、前記ペン先保持筒は、前記ペン先の前記中央芯部を周方向に間隔を開けて複数個所で保持していることが好ましい。
【００２０】
これによれば、ペン先の中央芯部をバランス良く保持することができ、ペン先の中央芯部のより確実な保持を実現することができる。
【００２１】
また、前記予備筒部と前記ペン先の前記前方芯部との間の間隔は、略一定であることが好ましい。
【００２２】
これによれば、ペン先の前方芯部の過度の変形を抑制する効果を、予備筒部によって全方位において効果的に提供することができる。また、デザイン（美観）上も優れた形態を提供することができる。
【００２３】
例えば、前記ペン先の前記中央芯部は、前記前端領域を除いて円柱形状に形成され得る。この場合、前記予備筒部は、対応する円筒形状に形成され得る。
【００２４】
あるいは、前記ペン先の前記中央芯部は、前記前端領域を除いて略多角柱形状、例えば略四角柱形状、に形成され得る。この場合、前記予備筒部は、対応する略多角柱形状、例えば略四角筒形状、に形成され得る。
【００２５】
また、前記予備筒部の前端も、側面視において上端が下端よりも前方に位置する切出刃状になっており、前記ペン先の前記前方芯部の前記前端と前記予備筒部の前記前端とが、側面視において平行となっていることが好ましい。
【００２６】
これによれば、側面視において切出刃状のペン先の前方芯部の過度の変形を抑制する効果を、全方位においてより効果的に提供することができる。また、デザイン（美観）上も優れた形態を提供することができる。
【００２７】
また、前記ペン先保持筒は、少なくとも一部が透明材料または半透明材料で構成されていることが好ましい。
【００２８】
これによれば、インクの色を視認しやすくなる。また、デザイン（美観）上も優れた形態を提供することができる。
【００２９】
また、前記本体筒及び／または前記ペン先保持筒には、前記ペン先の角度位置を示す目印が付されていることが好ましい。
【００３０】
これによれば、ペン先の角度位置（向き）を、より容易に把握することができる。目印は、視覚的な目印に限定されず、触覚で判別可能な凹凸であってもよい。
【発明の効果】
【００３１】
本発明によれば、ペン先保持筒に保持されるペン先の中央芯部よりもペン先の前方芯部が細いため、ペン先の中央芯部に対するペン先の前方芯部の十分な撓みやすさを提供することができる。特に、ペン先の前方芯部の前端が側面視において切出刃状になっていて、ペン先の前方芯部の側面視における最大長さ（上端における長さ）が７ｍｍ以上となっていることにより、ペン先の前方芯部の前端に加えられる力によってペン先の前方芯部が撓む感覚を、ユーザは独特の筆記感として楽しむことができる。
【００３２】
また、本発明によれば、ペン先の前方芯部の前端領域を除いて、当該前方芯部の周囲にペン先保持筒の予備筒部が延在しており、ペン先の前方芯部に過度の力が加えられた時には当該予備筒部がペン先の前方芯部に当接して当該前方芯部のそれ以上の変形を抑制する。特に、予備筒部の側面視における最大長さ（上端における長さ）が５ｍｍ以上となっていて、予備筒部とペン先の前方芯部との間の間隔が０．０３〜１．０ｍｍとなっていることにより、ペン先の前方芯部において元の形状に戻りにくくなるような過度の変形が効果的に抑制され、長寿命を実現できる。
【図面の簡単な説明】
【００３３】
【図１】本発明の第１実施形態における筆記具の概略縦断面図である。
【図２】図１の筆記具のキャップを外した状態の斜視図である。
【図３】図１の筆記具のペン先を示す斜視図である。
【図４】図３のペン先の側面図である。
【図５】図４のペン先のＡ−Ａ線断面図である。
【図６】図４のペン先のＢ−Ｂ線断面図である。
【図７】図１の筆記具のペン先保持筒を示す斜視図である。
【図８】図７のペン先保持筒の断面斜視図である。
【図９】図７のペン先保持筒の平面図である。
【図１０】図９のペン先保持筒のＡ−Ａ線断面図である。
【図１１】図１の筆記具のペン先及びペン先保持筒を示す斜視図である。
【図１２】図１１のペン先及びペン先保持筒を示す側面図である。
【図１３】図１２のペン先及びペン先保持筒のＡ−Ａ線断面図である。
【図１４】図１２のペン先及びペン先保持筒のＢ−Ｂ線断面図である。
【図１５】図１４のペン先及びペン先保持筒のＣ部拡大図である。
【図１６】図１の筆記具のペン先が撓んだ状態を示す概略図である。
【図１７】本発明の第２実施形態における筆記具の概略縦断面図である。
【図１８】図１７の筆記具のキャップを外した状態の斜視図である。
【図１９】図１７の筆記具のペン先を示す斜視図である。
【図２０】図１９のペン先の側面図である。
【図２１】図２０のペン先のＡ−Ａ線断面図である。
【図２２】図２０のペン先のＢ−Ｂ線断面図である。
【図２３】図１７の筆記具のペン先保持筒を示す斜視図である。
【図２４】図２３のペン先保持筒の断面斜視図である。
【図２５】図２３のペン先保持筒の平面図である。
【図２６】図２５のペン先保持筒のＡ−Ａ線断面図である。
【図２７】図１７の筆記具のペン先及びペン先保持筒を示す斜視図である。
【図２８】図２７のペン先及びペン先保持筒を示す側面図である。
【図２９】図２８のペン先及びペン先保持筒のＡ−Ａ線断面図である。
【図３０】図２８のペン先及びペン先保持筒のＢ−Ｂ線断面図である。
【図３１】図３０のペン先及びペン先保持筒のＣ部拡大図である。
【図３２】ペン先保持筒の先端領域を着色した例を示す図２８と同様の図である。
【発明を実施するための形態】
【００３４】
以下、図面を参照して本発明の実施の形態について説明する。  
【００３５】
（第１実施形態の構成）
図１は、本発明の第１実施形態における筆記具１の概略縦断面図である。図２は、筆記具１のキャップ６０を外した状態の斜視図である。
【００３６】
また、図３は、筆記具１のペン先１０を示す斜視図であり、図４は、ペン先１０の側面図であり、図５は、図４のペン先１０のＡ−Ａ線断面図であり、図６は、図４のペン先１０のＢ−Ｂ線断面図である。
【００３７】
まず、図１乃至図６に示すように、本実施形態の筆記具１は、前方芯部１１と中央芯部１２と後方芯部１３とを有するペン先１０と、ペン先１０の後方芯部１３に接触して当該後方芯部１３にインクを供給するインク吸蔵体２０と、を備えている。インク吸蔵体２０は、本体筒を構成する前筒３０と後筒４０とによって収容されている。キャップ６０が、前筒３０又は後筒４０に対して着脱可能となっている。
【００３８】
図３乃至図６に示すように、本実施形態のペン先１０の前方芯部１１と中央芯部１２と後方芯部１３とは、同心の円柱形状を有しているが（詳細には、後述する前方芯部１１の前端領域とテーパ部１２ｔ、１３ｔとを除く）、前方芯部１１は中央芯部１２よりも細い。また、後方芯部１３についても、中央芯部１２よりも細い。例えば、前方芯部１１の直径は４．２ｍｍであり、中央芯部１２の直径は５．１ｍｍであり、後方芯部１３の直径は３．５ｍｍである。
【００３９】
後方芯部１３の後方側には、緩やかな傾斜のテーパ部１３ｔが設けられていて、インク吸蔵体２０への挿入が容易化されている。また、中央芯部１２の後方側には、比較的急峻な傾斜のテーパ部１２ｔが設けられていて、後方芯部１３に連続している。例えば、後方芯部１３の長さ（テーパ部１３ｔを含む）は７．７ｍｍであり、中央芯部１２の長さ（テーパ部１２ｔを含む）は１１．８ｍｍである。
【００４０】
前方芯部１１の前端は、側面視において上端が下端よりも前方に位置する切出刃状になっており（図４参照）、左右方向にＲが設けられる（図５参照）と共に上下方向に傾斜した（図４参照）前端部１１ａと、当該前端部１１ａの左右両側に設けられ互いに鋭角（例えば６０度）をなす（図５参照）鋭角形成平面部１１ｂ、１１ｃと、を有している（鋭角形成平面部１１ｂ、１１ｃの延長面の交線は、前端部１１ａの更に前方に位置して前端部１１ａと平行に延びる直線である）。例えば、前方芯部１１の側面視における上端長さＬ１（最大長さ）は１３．８ｍｍであり、前方芯部１１の側面視における下端長さＬ２（最小長さ）は１２．３ｍｍである。前端部１１ａと鋭角形成平面部１１ｂ、１１ｃとは、切削加工によって形成されてもよいし、予め成型加工によって形成されてもよい。
【００４１】
また、本実施形態の筆記具１は、図１及び図２に示すように、ペン先１０の中央芯部１２を保持する一方で、本体筒である前筒３０に保持されたペン先保持筒５０を備えている。
【００４２】
図７は、筆記具１のペン先保持筒５０を示す斜視図であり、図８は、図７のペン先保持筒５０の断面斜視図であり、図９は、図７のペン先保持筒５０の平面図であり、図１０は、図９のペン先保持筒５０のＡ−Ａ線断面図である。
【００４３】
また、図１１は、筆記具１のペン先１０及びペン先保持筒５０を示す斜視図であり、図１２は、ペン先１０及びペン先保持筒５０を示す側面図であり、図１３は、図１２のペン先１０及びペン先保持筒５０のＡ−Ａ線断面図であり、図１４は、図１２のペン先１０及びペン先保持筒５０のＢ−Ｂ線断面図であり、図１５は、図１４のペン先１０及びペン先保持筒５０のＣ部拡大図である。
【００４４】
図７乃至図１５に示すように、ペン先保持筒５０は、ペン先１０の中央芯部１２を保持する保持筒部５２と、ペン先１０の前方芯部１１の前端領域（前端部１１ａと鋭角形成平面部１１ｂ、１１ｃとを含む領域）を除いて当該前方芯部１１の周囲に延在する予備筒部５１と、を有している。保持筒部５２と予備筒部５１とは、同心の略円筒形状を有している。
【００４５】
例えば、予備筒部５１の側面視における上端長さＬ３（最大長さ）は１０ｍｍであり、予備筒部５１の側面視における下端長さＬ４（最小長さ）は８ｍｍであり、予備筒部５１の外面（後述するフランジ部５１ｆを除く）は、直径５．４ｍｍの円筒面であり、予備筒部５１の内面は、直径４．６ｍｍの円筒面である。従って、本実施形態では、予備筒部５１の内周面とペン先１０の前方芯部１１の外周面との間の間隔（図１５の符号Ｇ１）は、０．２ｍｍで一定となっている（図１６を用いて後述されるように、筆記時にペン先１０に力が加えられると変化する）。また、予備筒部５１の内周面又はペン先１０の前方芯部１１の外周面の少なくとも一方に軸方向の抜き勾配を設けてもよい。これにより、予備筒部５１及びペン先１０の生産性が向上するだけでなく、前方芯部１１の十分な撓みやすさを提供することができる。
【００４６】
また、予備筒部５１の前端も、側面視において上端が下端よりも前方に位置する切出刃状になっており（図１０参照）、ペン先１０の前方芯部１１の前端と予備筒部５１の前端とが、側面視において平行となっている（図１２参照）。
【００４７】
また、保持筒部５２は、ペン先１０の中央芯部１２の前方部を周方向に間隔を開けて４個所で保持するべく、直径５．５ｍｍの円筒面である内周面上の４箇所に保持突起５２ｐが設けられている（図８及び図１０参照）。各保持突起５２ｐは、例えば、周方向幅０．６ｍｍ、長さ３．６ｍｍであって、軸心からの径方向距離２．４ｍｍの位置まで内方へと突出されている。
【００４８】
また、本実施形態では、予備筒部５１の後方端部にフランジ部５１ｆが設けられており、当該フランジ部５１ｆに、凹形状の空気孔５１ｒが設けられている。当該空気孔５１ｒを介して、本体筒内部と本体筒外部とが通気可能となっている。これにより、インク消費に伴って本体筒内部に空気が取り込まれ、適切なインク吐出性能を維持することができる。また、保持筒部５２には、前筒３０との係合のために径方向外方に突出する縦リブ５２ｒと、ペン先１０とペン先保持筒５０との組立性を向上させるためのスリット５２ｓと、が設けられている。当該スリット５２ｓを利用することで、ペン先１０とペン先保持筒５０の軸心に対する回転方向の位置合わせ（前端部１１ａと予備筒部５１の前端とを側面視において平行にすること）を組立機上で容易に行うことができる。  
【００４９】
そして、図１に示すように、前筒３０は、ペン先保持筒５０の縦リブ５２ｒを利用して、ペン先保持筒５０を保持している。また、保持筒部５２の長さは、中央芯部１２の長さよりも短く（図１１乃至図１３参照）、前筒３０は、ペン先１０の中央芯部１２の後方部のテーパ部１２ｔをも保持している。
【００５０】
なお、ペン先１０は、例えば連続気泡を有する合成樹脂の多孔質体からなるが、インクが流通可能で可撓性を有するものであればよく、具体的には、繊維ペン先、フェルトペン先、毛筆ペン先、軸方向の毛細管通路を有するプラスチックペン先等であってもよい。ペン先１０の前方芯部１１の変形のしやすさは、例えば、前端部１１ａの全体を紙面に当接させ且つ前方芯部１１の軸心を紙面に対して６０度に傾けた状態（図１６に類似した状態）から前方芯部１１を更に紙面に押し当てた時、押し当て力１００ｇｆに対する前端部１１ａの変位量（紙面に垂直な方向）が０．４０〜０．４８ｍｍの範囲内であることが好適である。また、ペン先保持筒５０の予備筒部５１は、前方芯部１１よりも変形しにくい必要があり、例えば、予備筒部５１の前端の上下方向の中央位置での側面角部を紙面に当接させ且つ当該側面を紙面に対して６０度に傾けた状態（図１６に類似した状態）から予備筒部５１を紙面に押し当てた時、押し当て力１００ｇｆに対する予備筒部５１の変位量（紙面に垂直な方向）が０．０２〜０．０４ｍｍの範囲内であることが好適である。
【００５１】
また、インク吸蔵体２０は、インクを含浸可能な連続気孔を有する部材からなるものであればよく、例えば、繊維束の熱融着加工体、繊維束の樹脂加工体、フェルトの樹脂加工体、フェルトのニードルパンチ加工体、多孔質体（例えば、スポンジ等の合成樹脂の連続気泡体）等が挙げられる。また、インク吸蔵体２０は、その外周面に合成樹脂フィルム等よりなる外皮を備える構成でもよい。
【００５２】
（第１実施形態の作用効果）
以上のような構成の筆記具１は、以下のような作用効果を奏することができる。すなわち、本実施形態の筆記具１によれば、ペン先保持筒５０に保持されるペン先１０の中央芯部１２よりもペン先１０の前方芯部１１が細いため、ペン先１０の中央芯部１２に対するペン先１０の前方芯部１１の十分な撓みやすさを提供することができる。
【００５３】
そして、ペン先１０の前方芯部１１の前端が側面視において切出刃状になっていて、ペン先１０の前方芯部１１の側面視における上端長さＬ１（最大長さ）が１３．８ｍｍであって十分長い（７ｍｍ以上である）という特徴と相俟って、ペン先１０の前方芯部１１の前端に加えられる力によってペン先１０の前方芯部１１が撓む感覚を、ユーザは独特の筆記感として楽しむことができる。
【００５４】
一方で、本実施形態の筆記具１によれば、ペン先１０の前方芯部１１の前端領域を除いて、当該前方芯部１１の周囲にペン先保持筒５０の予備筒部５１が延在しており、ペン先１０の前方芯部１１に過度の力が加えられた時には当該予備筒部５１がペン先１０の前方芯部１１に当接して当該前方芯部１１のそれ以上の変形を抑制する。この状態が図１６に図示されている。図１６は、筆記具１のペン先１０が撓んだ状態を示す概略図である。
【００５５】
特に本実施形態では、予備筒部５１の側面視における上端長さＬ３（最大長さ）が１０ｍｍであって十分長く（５ｍｍ以上）、予備筒部５１とペン先１０の前方芯部１１との間の無負荷時の間隔Ｇ１が０．２ｍｍで一定である（図１５参照）という特徴と相俟って、ペン先１０の前方芯部１１において元の形状に戻りにくくなるような過度の変形が効果的に抑制され、長寿命を実現できる。
【００５６】
また、本実施形態の筆記具１によれば、ペン先保持筒５０の保持突起５２ｐがペン先１０の中央芯部１２の前方部を保持しており、本体筒である前筒３０がペン先１０の中央芯部１２のテーパ部１２ｔを保持している。これにより、ペン先１０の中央芯部１２が軸方向に２箇所で保持されており、ペン先１０の中央芯部１２のより確実な保持が実現されている。
【００５７】
また、本実施形態の筆記具１によれば、ペン先１０の中央芯部１２が円筒形状を有している。これにより、ペン先１０に十分な強度を持たせることができ、ペン先１０の中央芯部１２のより確実な保持が実現されている。
【００５８】
また、本実施形態の筆記具１によれば、ペン先保持筒５０の保持突起５２ｐが、ペン先１０の中央芯部１２を周方向に間隔（好適には等間隔）を開けて４個所で保持している。これにより、ペン先１０の中央芯部１２をバランス良く保持することができ、ペン先１０の中央芯部１２のより確実な保持が実現されている。
【００５９】
また、本実施形態の筆記具１によれば、ペン先１０に力が加えられていない状態では、予備筒部５１とペン先１０の前方芯部１１との間の間隔Ｇ１が一定である。これにより、ペン先１０の前方芯部１１の過度の変形を抑制する効果を、予備筒部５１によって全方位において効果的に提供することができる。また、デザイン（美観）上も優れた形態を提供することができる。
【００６０】
また、本実施形態の筆記具１によれば、予備筒部５１の前端も、側面視において上端が下端よりも前方に位置する切出刃状になっており（図１０参照）、ペン先１０の前方芯部１１の前端と予備筒部５１の前端とが、側面視において平行となっている（図１２参照）。これにより、切出刃状のペン先１０の前方芯部１１の過度の変形を抑制する効果を、全方位においてより効果的に提供することができる。また、デザイン（美観）上も優れた形態を提供することができる。
【００６１】
（第２実施形態の構成）
続いて、図１７は、本発明の第２実施形態における筆記具１０１の概略縦断面図である。図１８は、筆記具１０１のキャップ６０を外した状態の斜視図である。
【００６２】
また、図１９は、筆記具１０１のペン先１１０を示す斜視図であり、図２０は、ペン先１１０の側面図であり、図２１は、図２０のペン先１１０のＡ−Ａ線断面図であり、図２２は、図２０のペン先１１０のＢ−Ｂ線断面図である。
【００６３】
まず、図１７乃至図２２に示すように、本実施形態の筆記具１０１は、前方芯部１１１と中央芯部１１２と後方芯部１１３とを有するペン先１１０と、ペン先１１０の後方芯部１１３に接触して当該後方芯部１１３にインクを供給するインク吸蔵体２０と、を備えている。第１実施形態と同様、インク吸蔵体２０は、本体筒を構成する前筒３０と後筒４０とによって収容されており、キャップ６０が、前筒３０又は後筒４０に対して着脱可能となっている。
【００６４】
図１９乃至図２２に示すように、本実施形態のペン先１１０の中央芯部１１２と後方芯部１１３とは、同心の円柱形状を有しているが（詳細には、後述するテーパ部１１２ｔ、１１３ｔを除く）、後方芯部１１３は中央芯部１１２よりも細い。例えば、中央芯部１１２の直径は５．１ｍｍであり、後方芯部１１３の直径は３．５ｍｍである。
【００６５】
また、図１９乃至図２２に示すように、本実施形態のペン先１１０の前方芯部１１１は、後述する前端領域を除いて、角部が丸められた長方形状の断面を有する略四角柱形状を有している（特に図２２参照）。中央芯部１１２の軸心は、前方芯部１１１の略長方形状の断面の中心（重心）を通るようになっており、当該略長方形状の断面（図２２参照）の対角線の長さは、中央芯部１１２の直径よりも小さくなっている。すなわち、前方芯部１１１は中央芯部１１２よりも細い。より詳細には、前方芯部１１１の略長方形状の断面（図２２参照）は、長辺の長さが４．１ｍｍで、短辺の長さが３．２ｍｍである。
【００６６】
また、第１実施形態と同様、後方芯部１１３の後方側には、緩やかな傾斜のテーパ部１１３ｔが設けられていて、インク吸蔵体２０への挿入が容易化されている。また、中央芯部１１２の後方側には、比較的急峻な傾斜のテーパ部１１２ｔが設けられていて、後方芯部１１３に連続している。例えば、後方芯部１１３の長さ（テーパ部１１３ｔを含む）は７．７ｍｍであり、中央芯部１１２の長さ（テーパ部１１２ｔを含む）は１１．８ｍｍである。
【００６７】
また、第１実施形態と略同様、前方芯部１１１の前端は、側面視において上端が下端よりも前方に位置する切出刃状になっており（図２０参照）、左右方向にＲが設けられる（図２１参照）と共に上下方向に傾斜した（図２０参照）前端部１１１ａと、当該前端部１１１ａの左右両側に設けられ互いに鋭角（例えば６０度）をなす（図２１参照）鋭角形成平面部１１１ｂ、１１１ｃと、を有している（鋭角形成平面部１１１ｂ、１１１ｃの延長面の交線は、前端部１１１ａの更に前方に位置して前端部１１１ａと平行に延びる直線である）。例えば、前方芯部１１１の側面視における上端長さＬ１１（最大長さ）は１３．８ｍｍであり、前方芯部１１１の側面視における下端長さＬ１２（最小長さ）は１２．３ｍｍである。前端部１１１ａと鋭角形成平面部１１１ｂ、１１１ｃとは、切削加工によって形成されてもよいし、予め成型加工によって形成されてもよい。
【００６８】
また、第１実施形態と同様、本実施形態の筆記具１０１は、図１７及び図１８に示すように、ペン先１１０の中央芯部１１２を保持する一方で、本体筒である前筒３０に保持されたペン先保持筒１５０を備えている。
【００６９】
図２３は、筆記具１０１のペン先保持筒１５０を示す斜視図であり、図２４は、図２３のペン先保持筒１５０の断面斜視図であり、図２５は、図２３のペン先保持筒１５０の平面図であり、図２６は、図２５のペン先保持筒１５０のＡ−Ａ線断面図である。
【００７０】
また、図２７は、筆記具１０１のペン先１１０及びペン先保持筒１５０を示す斜視図であり、図２８は、ペン先１１０及びペン先保持筒１５０を示す側面図であり、図２９は、図２８のペン先１１０及びペン先保持筒１５０のＡ−Ａ線断面図であり、図３０は、図２８のペン先１１０及びペン先保持筒１５０のＢ−Ｂ線断面図であり、図３１は、図３０のペン先１１０及びペン先保持筒１５０のＣ部拡大図である。
【００７１】
図２３乃至図３１に示すように、ペン先保持筒１５０は、ペン先１１０の中央芯部１１２を保持する保持筒部１５２と、ペン先１１０の前方芯部１１１の前端領域（前端部１１１ａと鋭角形成平面部１１１ｂ、１１１ｃとを含む領域）を除いて当該前方芯部１１１の周囲に延在する予備筒部１５１と、を有している。保持筒部１５２は、中央芯部１１２に対応して略円筒形状を有しており、予備筒部１５１は、前方芯部１１１に対応して略四角筒形状を有している。
【００７２】
例えば、予備筒部１５１の側面視における上端長さＬ１３（最大長さ）は１０ｍｍであり、予備筒部１５１の側面視における下端長さＬ１４（最小長さ）は８．３ｍｍであり、予備筒部１５１（後述するフランジ部１５１ｆを除く）の外周面の略長方形状の断面（図３０参照）は、長辺の長さが５．３ｍｍで、短辺の長さが４．４ｍｍであり、予備筒部１５１の内周面の略長方形状の断面（図３０参照）は、長辺の長さが４．５ｍｍで、短辺の長さが３．６ｍｍである。従って、本実施形態では、予備筒部１５１の内周面とペン先１１０の前方芯部１１１の外周面との間の間隔（図３１の符号Ｇ２）は、０．２ｍｍで一定となっている（筆記時にペン先１０に力が加えられると変化する：図１６参照）。また、予備筒部１５１の内周面又はペン先１１０の前方芯部１１１の外周面の少なくとも一方に軸方向の抜き勾配を設けてもよい。これにより、予備筒部１５１及びペン先１１０の生産性が向上するだけでなく、前方芯部１１１の十分な撓みやすさを提供することができる。
【００７３】
また、予備筒部１５１の前端も、側面視において上端が下端よりも前方に位置する切出刃状になっており（図２６参照）、ペン先１１０の前方芯部１１１の前端と予備筒部１５１の前端とが、側面視において平行となっている（図２８参照）。
【００７４】
また、第１実施形態と同様、保持筒部１５２は、ペン先１１０の中央芯部１１２の前方部を周方向に間隔を開けて４個所で保持するべく、直径５．５ｍｍの円筒面である内周面上の４箇所に保持突起１５２ｐが設けられている（図２４及び図２６参照）。各保持突起１５２ｐは、例えば、周方向幅０．６ｍｍ、長さ３．６ｍｍであって、軸心からの径方向距離２．４ｍｍの位置まで内方へと突出されている。
【００７５】
また、本実施形態では、予備筒部１５１の後方端部にフランジ部１５１ｆが設けられており、当該フランジ部１５１ｆに、凹形状の空気孔１５１ｒが設けられている。当該空気孔１５１ｒを介して、本体筒内部と本体筒外部とが通気可能となっている。これにより、インク消費に伴って本体筒内部に空気が取り込まれ、適切なインク吐出性能を維持することができる。また、保持筒部１５２には、前筒３０との係合のために径方向外方に突出する縦リブ１５２ｒと、ペン先１１０とペン先保持筒１５０との組立性を向上させるためのスリット１５２ｓと、が設けられている。当該スリット１５２ｓを利用することで、ペン先１１０とペン先保持筒１５０の軸心に対する回転方向の位置合わせ（前端部１１１ａと予備筒部１５１の前端とを側面視において平行にすること）を組立機上で容易に行うことができる。
【００７６】
そして、図１７に示すように、前筒３０は、ペン先保持筒１５０の縦リブ１５２ｒを利用して、ペン先保持筒１５０を保持している。また、保持筒部１５２の長さは、中央芯部１１２の長さよりも短く（図２７乃至図２９参照）、前筒３０は、ペン先１１０の中央芯部１１２の後方部のテーパ部１１２ｔをも保持している。
【００７７】
なお、ペン先１０の材料について前述された内容は、ペン先１１０についても適用可能である。
【００７８】
（第２実施形態の作用効果）
以上のような構成の筆記具１０１は、以下のような作用効果を奏することができる。すなわち、本実施形態の筆記具１０１によっても、ペン先保持筒１５０に保持されるペン先１１０の中央芯部１１２よりもペン先１１０の前方芯部１１１が細いため、ペン先１１０の中央芯部１１２に対するペン先１１０の前方芯部１１１の十分な撓みやすさを提供することができる。
【００７９】
そして、ペン先１１０の前方芯部１１１の前端が側面視において切出刃状になっていて、ペン先１１０の前方芯部１１１の上端長さＬ１１（最大長さ）が１３．８ｍｍであって十分長い（７ｍｍ以上である）という特徴と相俟って、ペン先１１０の前方芯部１１１の前端に加えられる力によってペン先１１０の前方芯部１１１が撓む感覚を、ユーザは独特の筆記感として楽しむことができる。
【００８０】
一方で、本実施形態の筆記具１０１によっても、ペン先１１０の前方芯部１１１の前端領域を除いて、当該前方芯部１１１の周囲にペン先保持筒１５０の予備筒部１５１が延在しており、ペン先１１０の前方芯部１１１に過度の力が加えられた時には当該予備筒部１５１がペン先１１０の前方芯部１１１に当接して当該前方芯部１１１のそれ以上の変形を抑制する（第１実施形態について図１６を用いて説明されたのと同様である）。
【００８１】
特に本実施形態でも、予備筒部１５１の最大長さ（上端における長さ）が１０ｍｍであって十分長く（５ｍｍ以上）、予備筒部１５１とペン先１１０の前方芯部１１１との間の無負荷時の間隔Ｇ２が０．２ｍｍで一定である（図３１参照）という特徴と相俟って、ペン先１１０の前方芯部１１１において元の形状に戻りにくくなるような過度の変形が効果的に抑制され、長寿命を実現できる。
【００８２】
また、本実施形態の筆記具１０１によっても、ペン先保持筒１５０の保持突起１５２ｐがペン先１１０の中央芯部１１２の前方部を保持しており、本体筒である前筒３０がペン先１１０の中央芯部１１２のテーパ部１１２ｔを保持している。これにより、ペン先１１０の中央芯部１１２が軸方向に２箇所で保持されており、ペン先１１０の中央芯部１１２のより確実な保持が実現されている。
【００８３】
また、本実施形態の筆記具１０１によっても、ペン先１１０の中央芯部１１２が円筒形状を有している。これにより、ペン先１１０に十分な強度を持たせることができ、ペン先１１０の中央芯部１１２のより確実な保持が実現されている。
【００８４】
また、本実施形態の筆記具１０１によっても、ペン先保持筒１５０の保持突起１５２ｐが、ペン先１１０の中央芯部１１２を周方向に間隔（好適には等間隔）を開けて４個所で保持している。これにより、ペン先１１０の中央芯部１１２をバランス良く保持することができ、ペン先１１０の中央芯部１１２のより確実な保持が実現されている。
【００８５】
また、本実施形態の筆記具１０１によっても、ペン先１１０に力が加えられていない状態では、予備筒部１５１とペン先１１０の前方芯部１１１との間の間隔Ｇ２が一定である。これにより、ペン先１１０の前方芯部１１１の過度の変形を抑制する効果を、予備筒部１５１によって全方位において効果的に提供することができる。また、デザイン（美観）上も優れた形態を提供することができる。
【００８６】
また、本実施形態の筆記具１０１によっても、予備筒部１５１の前端が、側面視において上端が下端よりも前方に位置する切出刃状になっており（図２６参照）、ペン先１１０の前方芯部１１１の前端と予備筒部１５１の前端とが、側面視において平行となっている（図２８参照）。これにより、切出刃状のペン先１１０の前方芯部１１１の過度の変形を抑制する効果を、全方位においてより効果的に提供することができる。また、デザイン（美観）上も優れた形態を提供することができる。
【００８７】
（ペン先保持筒５０、１５０の色）
以上の各実施形態において、ペン先保持筒５０、１５０は、全体が透明材料または半透明材料で構成されていることが好ましい。この場合、インクの色を視認しやすくなる。また、デザイン（美観）上も優れた形態を提供することができる。
【００８８】
あるいは、ペン先保持筒５０、１５０の前端近傍領域のみが着色され、残部が透明材料または半透明材料で構成されている態様も有用である。この態様は、筆記対象物（例えば紙面）の色とインクの色とが類似している場合に、筆記具と筆記対象物との相対位置の把握を容易にする効果がある。特に、図３２に示すように平行四辺形状の着色領域とすることで、デザイン（美観）上も優れた形態を提供することができる。
【００８９】
もっとも、少なくとも本件出願の時点では、ペン先保持筒５０、１５０の全体が不透明材料である態様も、本発明の範囲から排除されない。
【００９０】
（角度位置の目印）
また、以上の各実施形態において、本体筒である前筒３０及び／またはペン先保持筒５０、１５０に、ペン先１０、１１０の角度位置を示す目印が付されていることが好ましい。この場合、ペン先１０、１１０の角度位置（上端及び下端の向き）を、より容易に把握することができる。当該目印は、視覚的な目印に限定されず、触覚で判別可能な凹凸であってもよい。前軸３０を多角形状（三角形状、六角形状等）に構成して、形態全体を目印として機能させてもよい。
【００９１】
（部品の一体化）
少なくとも本件出願の時点では、前筒３０とペン先保持筒５０、１５０とが一部品として一体化されている態様も、本発明の範囲から排除されない。
【００９２】
また、少なくとも本件出願の時点では、前筒３０と後筒４０とが一部品として一体化されている態様も、本発明の範囲から排除されない。
【符号の説明】
【００９３】
１、１０１        筆記具
１０、１１０      ペン先
１１、１１１      前方芯部
１１ａ、１１１ａ  前端部
１１ｂ、１１１ｂ  鋭角形成平面部
１１ｃ、１１１ｃ  鋭角形成平面部
１２、１１２      中央芯部
１２ｔ、１１２ｔ  テーパ部
１３、１１３      後方芯部
１３ｔ、１１３ｔ  テーパ部
２０              インク吸蔵体
３０              前筒（本体筒）
４０              後筒（本体筒）
５０、１５０      ペン先保持筒
５１、１５１      予備筒部
５１ｆ、１５１ｆ  フランジ部
５１ｒ、１５１ｒ  空気孔
５２、１５２      保持筒部
５２ｐ、１５２ｐ  保持突起
５２ｓ、１５２ｓ  スリット
５２ｒ、１５２ｒ  縦リブ
６０              キャップ
Ｇ１、Ｇ２        間隔
Ｌ１、Ｌ１１  前方芯部の側面視における上端長さ
Ｌ２、Ｌ１２  前方芯部の側面視における下端長さ
Ｌ３、Ｌ１３  予備筒部の側面視における上端長さ
Ｌ４、Ｌ１４  予備筒部の側面視における下端長さ
【図１】
2020011437.tif 000003
【図２】
2020011437.tif 000004
【図３】
2020011437.tif 000005
【図４】
2020011437.tif 000006
【図５】
2020011437.tif 000007
【図６】
2020011437.tif 000008
【図７】
2020011437.tif 000009
【図８】
2020011437.tif 000010
【図９】
2020011437.tif 000011
【図１０】
2020011437.tif 000012
【図１１】
2020011437.tif 000013
【図１２】
2020011437.tif 000014
【図１３】
2020011437.tif 000015
【図１４】
2020011437.tif 000016
【図１５】
2020011437.tif 000017
【図１６】
2020011437.tif 000018
【図１７】
2020011437.tif 000019
【図１８】
2020011437.tif 000020
【図１９】
2020011437.tif 000021
【図２０】
2020011437.tif 000022
【図２１】
2020011437.tif 000023
【図２２】
2020011437.tif 000024
【図２３】
2020011437.tif 000025
【図２４】
2020011437.tif 000026
【図２５】
2020011437.tif 000027
【図２６】
2020011437.tif 000028
【図２７】
2020011437.tif 000029
【図２８】
2020011437.tif 000030
【図２９】
2020011437.tif 000031
【図３０】
2020011437.tif 000032
【図３１】
2020011437.tif 000033
【図３２】
2020011437.tif 000034